(57)【要約】【課題】本発明は 投射装置、さらに詳細には、備えられたディスプレイパネルの解像度より高い解像度の画像表示が可能な投射装置を提供する。【解決手段】本発明に係る投射装置は、映像信号をスクリーンに投射する投射装置であり、この投射装置は、入力された映像信号を利用して画像を形成する画像形成手段と、前記画像をそのまま通過させるかシフトさせ、前記シフトされた画像を前記スクリーンに投射する画像シフト手段とを備える。したがって、本発明に係る投射装置は、低解像度を支援するデジタルディスプレイパネルを利用して高解像度の画像を提供できる。【選択図】図１
2007522489.tif 000002
【特許請求の範囲】
【請求項１】
映像信号をスクリーンに投射する投射装置において、
入力された映像信号を利用して、画像を形成する画像形成手段と、
前記画像をそのまま通過させるかシフトさせ、シフトさせた画像を前記スクリーンに投射する画像シフト手段と
を備えたことを特徴とする投射装置。
【請求項２】
前記画像シフト手段は、
光をＳ波又はＰ波に変換する偏光変換部と、
前記Ｓ波又は前記Ｐ波を複屈折させる複屈折部と
を備えたことを特徴とする請求項１に記載の投射装置。
【請求項３】
前記偏光変換部と前記複屈折部は、それぞれ１つ以上であることを特徴とする請求項２に記載の投射装置。
【請求項４】
前記画像シフト手段は、
透光体と、
該透光体に接続した圧電セラミック素子と
を備えたことを特徴とする請求項１に記載の投射装置。
【請求項５】
前記透光体は動きが可能であり、この動きにより前記画像を通過させるかシフトさせることが可能であることを特徴とする請求項４に記載の投射装置。
【請求項６】
映像信号をスクリーンに投射する投射方法において、
入力された映像信号を利用して、画像を形成する画像形成ステップと、
前記画像をそのまま通過させるかシフトさせて、前記スクリーンに投射する画像シフトステップと
を含むことを特徴とする投射方法。
【請求項７】
前記画像シフトステップは、
光をＳ波又はＰ波に変換する偏光変換部と、前記Ｓ波又は前記Ｐ波を複屈折させる複屈折部とを備える画像シフト手段により行なわれることを特徴とする請求項６に記載の投射方法。
【請求項８】
前記偏光変換部と前記複屈折部は、それぞれ１つ以上であることを特徴とする請求項７に記載の投射方法。
【請求項９】
前記画像シフトステップは、
透光体と、該透光体に接続した圧電セラミック素子とを備える画像シフト手段により行なわれることを特徴とする請求項６に記載の投射方法。
【請求項１０】
前記透光体が動きが可能であり、この動きにより前記画像を通過させるかシフトさせることが可能であることを特徴とする請求項９に記載の投射方法。
【請求項１１】
映像信号をスクリーンに投射する投射装置において、
１画面を構成する映像信号をディスプレイパネルの解像度に合せて分割して複数の部分画像を形成する部分画像形成手段と、
前記複数の部分画像を通過させるかシフトさせて、スクリーンに投射する画像シフト手段と
を備えたことを特徴とする投射装置。
【請求項１２】
前記画像シフト手段は、
光をＳ波又はＰ波に変換する偏光変換部と、
前記Ｓ波又は前記Ｐ波を複屈折させる複屈折部と
を備えたことを特徴とする請求項１１に記載の投射装置。
【請求項１３】
前記偏光変換部と前記複屈折部は、それぞれ１つ以上であることを特徴とする請求項１２に記載の投射装置。
【請求項１４】
前記画像シフト手段は、
透光体と、
該透光体に接続した圧電セラミック素子と
を備えたことを特徴とする請求項１１に記載の投射装置。
【請求項１５】
前記透光体は動きが可能であり、この動きにより前記画像を通過させるかシフトさせることが可能であることを特徴とする請求項１４に記載の投射装置。
【請求項１６】
前記画像シフト手段は、前記ディスプレイパネルと前記スクリーンとの間の与えられた位置に設置可能であることを特徴とする請求項１１〜１５のいずれか１項に記載の投射装置。
【請求項１７】
映像信号をスクリーンに投射する投射方法において、
１画面を構成する映像信号をディスプレイパネルの解像度に合せて分割することによって、複数の部分画像を形成する部分画像形成ステップと、
前記複数の部分画像を通過させるかシフトさせて、前記スクリーンに投射する画像シフトステップと
を備えたことを特徴とする投射方法。
【請求項１８】
前記画像シフトステップは、
光をＳ波又はＰ波に変換する偏光変換部と、前記Ｓ波又は前記Ｐ波を複屈折させる複屈折部とを備える画像シフト手段により行なわれることを特徴とする請求項１７に記載の投射方法。
【請求項１９】
前記偏光変換部と前記複屈折部は、それぞれ１つ以上であることを特徴とする請求項１８に記載の投射方法。
【請求項２０】
前記画像シフトステップは、
透光体と、該透光体に接続した圧電セラミック素子とを備える画像シフト手段により行なわれることを特徴とする請求項１７に記載の投射方法。
【請求項２１】
前記透光体は動きが可能であり、この動きにより前記画像を通過させるかシフトさせることが可能であることを特徴とする請求項２０に記載の投射方法。
【請求項２２】
映像信号をスクリーンに投射する投射装置において、
１画面を構成する映像信号を受け取って、ディスプレイパネルの解像度に合うように部分映像信号に変換するディスプレイ駆動部と、
前記ディスプレイパネルを備え、前記部分映像信号を画像光信号に変換する画像形成部と、
前記画像光信号を利用して、部分画像を形成する光経路変更部と、
前記ディスプレイ駆動部の制御下において、第１の状態では、前記部分画像をそのまま通過させ、第２の状態では、前記部分画像をシフトさせる画像シフト部と、
該画像シフト部から出力された前記部分画像を前記スクリーンに投射する投射レンズ部と
を備えたことを特徴とする投射装置。
【請求項２３】
前記ディスプレイ駆動部は、
前記部分映像信号を形成する解像度変換部と、
前記画像シフト部の第１及び第２の状態を制御する駆動制御部と
を備えたことを特徴とする請求項２２に記載の投射装置。
【請求項２４】
前記ディスプレイ駆動部は、前記１画面を構成する映像信号がインターレース方式の信号であれば、このインターレース方式の信号をプログレッシブ方式の信号に変換するフォーマット変換部をさらに備えたことを特徴とする請求項２３に記載の投射装置。
【請求項２５】
前記画像シフト部は、
光をＳ波又はＰ波に変換する偏光変換部と、
前記Ｓ波又は前記Ｐ波を複屈折させる複屈折部と
を備えたことを特徴とする請求項２２に記載の投射装置。
【請求項２６】
前記偏光変換部と前記複屈折部は、それぞれ１つ以上であることを特徴とする請求項２５に記載の投射装置。
【請求項２７】
前記画像シフト部は、
透光体と、
該透光体に接続した圧電セラミック素子と
を備えたことを特徴とする請求項２２に記載の投射装置。
【請求項２８】
前記透光体が動きが可能であり、この動きにより前記画像を通過させるかシフトさせることが可能であることを特徴とする請求項２７に記載の投射装置。
【請求項２９】
前記画像シフト部は、前記ディスプレイパネルと前記光経路変更部との間に設置されることを特徴とする請求項２２に記載の投射装置。
【請求項３０】
前記画像シフト部は、前記光経路変更部と前記投射レンズ部との間に設置されることを特徴とする請求項２２に記載の投射装置。
【請求項３１】
前記画像シフト部は、前記投射レンズ部と前記スクリーンとの間に設置されることを特徴とする請求項２２に記載の投射装置。
【請求項３２】
前記ディスプレイパネルはＤＭＤパネル単板であり、前記光経路変更部はＴＩＲプリズムを備えたことを特徴とする請求項２２に記載の投射装置。
【請求項３３】
前記ディスプレイパネルはＤＭＤパネル単板であり、前記光経路変更部はダイクロイックミラー(Ｄｉｃｈｒｏｉｃ  Ｍｉｒｒｏｒ)を備えたことを特徴とする請求項２２に記載の投射装置。
【請求項３４】
前記ディスプレイパネルはＤＭＤパネル２板であり、前記光経路変更部はＸプリズムを備えたことを特徴とする請求項２２に記載の投射装置。
【請求項３５】
前記ディスプレイパネルはＤＭＤパネル２板であり、前記光経路変更部はダイクロイックミラーを備えたことを特徴とする請求項２２に記載の投射装置。
【請求項３６】
前記ディスプレイパネルは透過型ＬＣＤパネル単板であり、前記光経路変更部はＴＩＲプリズムを備えたことを特徴とする請求項２２に記載の投射装置。
【請求項３７】
前記ディスプレイパネルは透過型ＬＣＤパネル単板であり、前記光経路変更部はダイクロイックミラーを備えたことを特徴とする請求項２２に記載の投射装置。
【請求項３８】
前記ディスプレイパネルは透過型ＬＣＤパネル単板であり、前記光経路変更部はＰＢＳ(Ｐｏｌａｒｉｚｉｎｇ  Ｂｅａｍ  Ｓｐｌｉｔｔｅｒ)を備えたことを特徴とする請求項２２に記載の投射装置。
【請求項３９】
前記ディスプレイパネルは透過型ＬＣＤパネル２板以上であり、前記光経路変更部はＸプリズムを備えたことを特徴とする請求項２２に記載の投射装置。
【請求項４０】
前記ディスプレイパネルは透過型ＬＣＤパネル２板以上であり、前記光経路変更部はダイクロイックミラーを備えたことを特徴とする請求項２２に記載の投射装置。
【請求項４１】
前記ディスプレイパネルは透過型ＬＣＤパネル２板以上であり、前記光経路変更部はＰＢＳを備えたことを特徴とする請求項２２に記載の投射装置。
【請求項４２】
前記ディスプレイパネルはＬＣｏＳパネル単板であり、前記光経路変更部はＴＩＲプリズムを備えたことを特徴とする請求項２２に記載の投射装置。
【請求項４３】
前記ディスプレイパネルはＬＣｏＳパネル単板であり、前記光経路変更部はダイクロイックミラーを備えたことを特徴とする請求項２２に記載の投射装置。
【請求項４４】
前記ディスプレイパネルはＬＣｏＳパネル単板であり、前記光経路変更部はＰＢＳを備えたことを特徴とする請求項２２に記載の投射装置。
【請求項４５】
前記ディスプレイパネルはＬＣｏＳパネル２板以上であり、前記光経路変更部はＸプリズムを備えたことを特徴とする請求項２２に記載の投射装置。
【請求項４６】
前記ディスプレイパネルはＬＣｏＳパネル２板以上であり、前記光経路変更部はダイクロイックミラーを備えたことを特徴とする請求項２２に記載の投射装置。
【請求項４７】
前記ディスプレイパネルはＬＣｏＳパネル２板以上であり、前記光経路変更部はＰＢＳを備えたことを特徴とする請求項２２に記載の投射装置。
【請求項４８】
１画面を構成する映像信号の走査線数より１／ｎ倍の走査線数を支援するディスプレイパネルを備える投射装置において、
前記１画面を構成する映像信号を前記ディスプレイパネルに合うようにｎ個の部分映像信号に変換するディスプレイ駆動部と、
前記ディスプレイパネルを備え、前記ｎ個の部分映像信号をｎ個の画像光信号に変換する画像形成部と、
前記ｎ個の画像光信号を利用して、ｎ個の部分画像を形成する光経路変更部と、
前記ディスプレイ駆動部の制御下において、第１の状態では、前記ｎ個の部分画像のうち第１の部分画像はそのまま通過させ、第２の状態では、前記ｎ個の部分画像のうち第２〜第ｎの部分画像はシフトさせる画像シフト部と、
該画像シフト部から出力された前記第１〜第ｎの部分画像を前記スクリーンに投射する投射レンズ部と
を備えたことを特徴とする投射装置。
【請求項４９】
前記ディスプレイ駆動部は、
前記部分映像信号を形成する解像度変換部と、
前記画像シフト部の第１及び第２の状態を制御する駆動制御部と
を備えたことを特徴とする請求項４８に記載の投射装置。
【請求項５０】
前記ディスプレイ駆動部は、前記１画面を構成する映像信号がインターレース方式の信号であれば、このインターレース方式の信号をプログレッシブ方式の信号に変換するフォーマット変換部をさらに備えたことを特徴とする請求項４９に記載の投射装置。
【請求項５１】
前記解像度変換部は、前記１画面を構成する映像信号の走査線の順番をｎで分けたとき、残りの同じ走査線の順番に該当する映像信号をサンプリングすることによって、前記ｎ個の部分映像信号を形成することを特徴とする請求項４８に記載の投射装置。
【請求項５２】
前記解像度変換部は、前記１画面を構成する映像信号の基準クロックをｎ分周し、該ｎ分周されたクロックの立ち上がりエッジと立下りエッジにおいて前記１画面を構成する映像信号をサンプリングすることによって、前記ｎ個の部分映像信号を形成することを特徴とする請求項４８に記載の投射装置。
【請求項５３】
前記画像シフト部は、
光をＳ波又はＰ波に変換する偏光変換部と、
前記Ｓ波又は前記Ｐ波を複屈折させる複屈折部と
を備えたことを特徴とする請求項４８に記載の投射装置。
【請求項５４】
前記偏光変換部及び前記複屈折部は、それぞれ１つ以上であることを特徴とする請求項５３に記載の投射装置。
【請求項５５】
前記画像シフト部は、
透光体と、
該透光体に接続した圧電セラミック素子と
を備えたことを特徴とする請求項４８に記載の投射装置。
【請求項５６】
前記透光体は動きが可能であり、この動きにより前記画像を通過させるかシフトさせることが可能であることを特徴とする請求項５５に記載の投射装置。
【請求項５７】
１画面を構成する映像信号の走査線数より１／ｎ倍の走査線数を支援するディスプレイパネルを備える投射装置において、
前記投射装置は、
前記１画面を構成する映像信号を前記ディスプレイパネルに合うようにｎ個の部分映像信号に変換するディスプレイ駆動部と、
前記ディスプレイパネルを備え、前記ｎ個の部分映像信号をｎ個の画像光信号に変換する画像形成部と、
前記ｎ個の画像光信号を利用して、ｎ個の部分画像を形成する光経路変更部と、
前記ディスプレイ駆動部の制御下において、第１の状態では、前記ｎ個の部分画像のうち第１の部分画像はそのまま通過させ、第２の状態では、前記ｎ個の部分画像のうち第２〜第ｎの部分画像はシフトさせる画像シフト部と、
該画像シフト部から出力された前記第１〜第ｎの部分画像を前記スクリーンに投射する投射レンズ部と
を備え、
前記ディスプレイパネルが透過型ＬＣＤ３板であり、
前記光経路変更部はＸプリズムを備え、
前記画像シフト部は、光をＳ波又はＰ波に変換する偏光変換部と、前記Ｓ波又は前記Ｐ波を複屈折させる複屈折部とを備えたことを特徴とする投射装置。
【請求項５８】
１画面を構成する映像信号の走査線数より１／ｎ倍の走査線数を支援するディスプレイパネルを備える投射装置において、
前記投射装置は、
前記１画面を構成する映像信号を前記ディスプレイパネルに合うようにｎ個の部分映像信号に変換するディスプレイ駆動部と、
前記ディスプレイパネルを備え、前記ｎ個の部分映像信号をｎ個の画像光信号に変換する画像形成部と、
前記ｎ個の画像光信号を利用して、ｎ個の部分画像を形成する光経路変更部と、
前記ディスプレイ駆動部の制御下において、第１の状態では、前記ｎ個の部分画像のうち第１の部分画像はそのまま通過させ、第２の状態では、前記ｎ個の部分画像のうち第２〜第ｎの部分画像はシフトさせる画像シフト部と、
前記画像シフト部から出力された前記第１〜第ｎの部分画像を前記スクリーンに投射する投射レンズ部とを備え、
前記ディスプレイパネルは、ＤＭＤパネル単板であり、
前記光経路変更部がＴＩＲプリズムを備え、
前記画像シフト部は、透光体と、該透光体に接続した圧電セラミック素子とを備えたことを特徴とする投射装置。
【発明の詳細な説明】
【技術分野】
【０００１】
本発明は、投射装置に関し、さらに詳細には、備えられたディスプレイパネルの解像度より高い解像度の画像表示が可能な投射装置に関する。
【背景技術】
【０００２】
一般に、投射装置は、光源と光学系で構成されて画像などを拡大してスクリーン上に投射する装置であって、過去には、陰極線管（ＣＲＴ）を装着した投射装置がほとんどであったが、最近では、ＬＣＤ（Ｌｉｑｕｉｄ  Ｃｒｙｓｔａｌ  Ｄｉｓｐｌａｙ）パネル、ＤＭＤ（Ｄｉｇｉｔａｌ  Ｍｉｒｒｏｒ  Ｄｅｖｉｃｅ）パネル又はＬＣｏＳ（Ｌｉｑｕｉｄ  Ｃｒｙｓｔａｌ  ｏｎ  Ｓｉｌｉｃｏｎ）パネルなどを利用した多様な種類のプロジェクターが普及しつつある。
【０００３】
ＬＣＤパネルが装着された投射装置は、３板式の場合、３個の液晶パネルが分光された赤（ｒｅｄ）、青（ｂｌｕｅ）、緑（ｇｒｅｅｎ）の３色を液晶のピクセルを介して通過させ、レンズで液晶のピクセルを通過した光を集めて映像を作る。
【０００４】
ＤＭＤパネルが装着された投射装置は、ピクセルに該当する数千個の微細なミラーをＤＭＤと呼ばれるチップに集積し、このミラーに傾斜をつけて光の反射程度に応じて画像を形成する。
【０００５】
また、ＬＣｏＳパネルが装着された投射装置は、ＬＣＤを集積したシリコンウェーハを装着したものであって、ピクセルの数がＬＣＤやＤＭＤ方式に比べて制限が少ないという長所がある。
【０００６】
このような多様な投射装置のうち、ＬＣＤ方式とＤＭＤ方式の投射装置は、装着されたパネルの特性上、最大解像度の７２０ｐ以上の画像提供が不可能であり、ＬＣｏＳパネルを装着した投射装置は、ＬＣＤ方式とＤＭＤ方式の投射装置より高解像度の支援が可能であるが、投射装置の価格が高いという問題がある。
【発明の開示】
【発明が解決しようとする課題】
【０００７】
したがって、本発明は、上述した問題を考慮してなされたものであって、本発明の目的は、低解像度を支援するデジタルディスプレイパネルを利用して高解像度の画像を提供できる高解像度の投射装置を提供することにある。
【課題を解決するための手段】
【０００８】
上記の目的を解決するため、本発明の請求項１に係る投射装置は、映像信号をスクリーンに投射する投射装置であり、該投射装置は、入力された映像信号を利用して、画像を形成する画像形成手段と、前記画像をそのまま通過させるかシフトさせ、シフトさせた画像を前記スクリーンに投射する画像シフト手段とを備える。
【０００９】
請求項１に係る発明では、画像形成手段は、入力された映像信号を利用して画像を形成する。画像シフト手段は、形成された画像をそのまま通過させるかシフトさせて投射する。したがって、低解像度のディスプレイパネルを備える投射装置の場合にも、低解像度のディスプレイパネルに合うように部分画像を形成して、スクリーンに適切に投射することによって、スクリーンを見る人に１画面を構成する映像信号の解像度で見せることが可能である。
【００１０】
請求項２によれば、請求項１に係る投射装置において、前記画像シフト手段が、光をＳ波又はＰ波に変換する偏光変換部と、前記Ｓ波又は前記Ｐ波を複屈折させる複屈折部とを備える。
【００１１】
請求項２に係る発明では、画像シフト手段が偏光変換部及び複屈折部を備え、画像をシフトさせる機能を行う。
【００１２】
請求項３によれば、請求項２に係る投射装置において、前記偏光変換部及び前記複屈折部が、それぞれ１つ以上である。
【００１３】
請求項３に係る発明では、画像シフト手段を構成する偏光変換部及び複屈折部が、１つ又はその以上の個数であり得る。
【００１４】
請求項４によれば、請求項１に係る投射装置において、前記画像シフト手段は、透光体と、該透光体に接続した圧電セラミック素子とを備える。
【００１５】
請求項４に係る発明は、請求項２に記載された発明とは異なり、画像シフト手段が、透光体と、圧電セラミック素子とからなり、これによって画像をシフトさせる機能を行う。
【００１６】
請求項５によれば、請求項４に係る投射装置において、前記透光体が動きが可能であり、この動きにより前記画像を通過させるかシフトさせることが可能である。
【００１７】
請求項５に係る発明は、透光体の動きを圧電セラミック素子で制御して画像をシフトさせることが可能である。
【００１８】
本発明の請求項６に係る投射方法は、映像信号をスクリーンに投射する投射方法であり、入力された映像信号を利用して画像を形成する画像形成ステップと、前記画像をそのまま通過させるかシフトさせて、前記スクリーンに投射する画像シフトシフトステップとを含む。
【００１９】
請求項６に係る発明では、入力された映像信号は、画像により形成される。この画像信号は、そのまま通過されるかシフトされてスクリーンに投射される。したがって、低解像度のディスプレイパネルを備える投射装置の場合にも、低解像度のディスプレイパネルに合うように部分画像を形成して、スクリーンに適切に投射することによって、スクリーンを見る人に１画面を構成する映像信号の解像度で見せることが可能である。
【００２０】
請求項７によれば、請求項６に係る投射方法において、前記画像シフトステップは、光をＳ波又はＰ波に変換する偏光変換部と、前記Ｓ波又は前記Ｐ波を複屈折させる複屈折部とを備える画像シフト手段により行われる。
【００２１】
請求項７に係る発明では、画像シフト手段が偏光変換部及び複屈折部とからなり、画像をシフトさせる機能を行う。
【００２２】
請求項８によれば、請求項７に係る投射方法において、前記偏光変換部及び前記複屈折部が、それぞれ１つ以上の個数である。
【００２３】
請求項８に係る発明では、画像シフト手段を構成する偏光変換部及び複屈折部が、１つ又はその以上の個数であり得る。
【００２４】
請求項９によれば、請求項６に係る投射方法において、前記画像シフトステップが、透光体と、該透光体に接続した圧電セラミック素子とを備える画像シフト手段により行われる。
【００２５】
請求項９に係る発明では、請求項２に記載された発明とは異なり、画像シフト手段が、透光体及び圧電セラミック素子からなり、これにより画像をシフトさせる機能を行う。
【００２６】
請求項１０によれば、請求項９に係る投射方法において、前記透光体が動きが可能であり、この動きにより前記画像を通過させるかシフトさせることが可能である。
【００２７】
請求項１０に係る発明では、圧電セラミック素子が透光体の動きを制御して画像をシフトさせることが可能である。
【００２８】
本発明の請求項１１に係る投射装置は、映像信号をスクリーンに投射する投射装置であり、この投射装置は、１画面を構成する映像信号をディスプレイパネルの解像度に合せて分割することによって、複数の部分画像を形成する部分画像形成手段と、前記複数の部分画像を通過させるかシフトさせて、前記スクリーンに投射する画像シフト手段とを備える。
【００２９】
請求項１１に係る発明では、画像形成手段を利用して１画面を構成する映像信号をディスプレイパネルの解像度に合せて分割することによって、複数の部分画像を形成する。この複数の部分画像は、画像シフト手段を利用して通過されるかシフトされてスクリーンに投射される。したがって、低解像度のディスプレイパネルを備える投射装置の場合にも、低解像度のディスプレイパネルに合うように部分画像を形成して、スクリーンに適切に投射することによって、スクリーンを見る人に１画面を構成する映像信号の解像度で見せることが可能である。
【００３０】
請求項１２によれば、請求項１１に係る投射装置において、前記画像シフト手段が、光をＳ波又はＰ波に変換する偏光変換部と、前記Ｓ波又は前記Ｐ波を複屈折させる複屈折部とを備える。
【００３１】
請求項１２に係る発明では、画像シフト手段が偏光変換部及び複屈折部を備え、画像をシフトさせる機能を行う。
【００３２】
請求項１３によれば、請求項１２に係る投射装置において、前記偏光変換部及び前記複屈折部が、それぞれ１つ以上の個数である。
【００３３】
請求項１３に係る発明では、画像シフト手段を構成する偏光変換部及び複屈折部が、１つ又はその以上の個数であり得る。
【００３４】
請求項１４によれば、請求項１１に係る投射装置において、前記画像シフト手段が、透光体と、該透光体に接続した圧電セラミック素子とを備える。
【００３５】
請求項１４に係る発明は、請求項２に係る発明とは異なり、画像シフト手段が、透光体及び圧電セラミック素子からなり、これにより画像をシフトさせる機能を行う。
【００３６】
請求項１５によれば、請求項１４に係る投射装置において、前記透光体が動きが可能であり、この動きにより前記画像を通過させるかシフトさせることが可能である。
【００３７】
請求項１５に係る発明では、圧電セラミック素子が透光体の動きを制御して画像をシフトさせることが可能である。
【００３８】
請求項１６によれば、請求項１１〜１５のいずれか１項に係る投射装置において、前記画像シフト手段が前記ディスプレイパネルと前記スクリーンとの間の与えられた位置に設置されることができる。
【００３９】
請求項１６に係る発明では、画像シフト手段が投射装置の所定の領域のうち、与えられた位置に設置されることができる。
【００４０】
本発明の請求項１７に係る投射方法は、映像信号をスクリーンに投射する投射方法であり、１画面を構成する映像信号をディスプレイパネルの解像度に合せて分割することによって、複数の部分画像を形成する部分画像形成ステップと、前記複数の部分画像を通過させるかシフトさせて、スクリーンに投射する画像シフトステップとを含む。
【００４１】
請求項１７に係る発明では、画像形成手段を利用して、１画面を構成する映像信号をディスプレイパネルの解像度に合せて分割することによって、複数の部分画像を形成する。この複数の部分画像は、画像シフト手段を利用して通過されるかシフトされてスクリーンに投射される。したがって、低解像度のディスプレイパネルを備える投射装置の場合にも、低解像度のディスプレイパネルに合うように部分画像を形成して、スクリーンに適切に投射することによって、スクリーンを見る人に１画面を構成する映像信号の解像度で見せることが可能である。
【００４２】
請求項１８によれば、請求項１７に係る投射方法において、前記画像シフトステップが、光をＳ波又はＰ波に変換する偏光変換部と、前記Ｓ波又は前記Ｐ波を複屈折させる複屈折部とを備える画像シフト手段により行われる。
【００４３】
請求項１８に係る発明では、画像シフトステップが、光をＳ波又はＰ波に変換する偏光変換部と、前記Ｓ波又は前記Ｐ波を複屈折させる複屈折部とを備える画像シフト手段により行われ、これによって画像シフト機能が行われることが可能となる。
【００４４】
請求項１９によれば、請求項１８に係る投射方法において、前記偏光変換部及び前記複屈折部が、それぞれ１つ以上の個数である。
【００４５】
請求項１９に係る発明では、画像シフト手段を構成する偏光変換部及び複屈折部が、１つ又はその以上の複数個であり得る。
【００４６】
請求項２０によれば、請求項１７に係る投射方法において、前記画像シフトステップが、透光体と、該透光体に接続した圧電セラミック素子とを備える画像シフト手段により行われる。
【００４７】
請求項２０に係る発明は、請求項１８に係る発明とは異なり、画像シフトステップが、透光体と、圧電セラミック素子とを備える画像シフト手段により行われ、これによって画像をシフトさせる機能が行われることが可能となる。
【００４８】
請求項２１によれば、請求項２０に係る投射方法において、前記透光体が動きが可能であり、この動きにより前記画像を通過させるかシフトさせることが可能である。
【００４９】
請求項２１に係る発明では、透光体の動きを圧電セラミックで制御して画像をシフトさせることが可能である。
【００５０】
本発明の請求項２２に係る投射装置は、映像信号をスクリーンに投射する投射装置であり、この投射装置は、１画面を構成する映像信号を受け取って、ディスプレイパネルの解像度に合うように部分映像信号に変換するディスプレイ駆動部と、前記ディスプレイパネルを備え、前記部分映像信号を画像光信号に変換する画像形成部と、前記画像光信号を利用して部分画像を形成する光経路変更部と、前記ディスプレイ駆動部の制御下において、第１の状態では、前記部分画像をそのまま通過させ、第２の状態では、前記部分画像をシフトさせる画像シフト部と、該画像シフト部から出力された前記部分画像を前記スクリーンに投射する投射レンズ部とを備える。
【００５１】
請求項２２に係る発明では、ディスプレイ駆動部、画像形成部、光経路変更部を利用して１画面を構成する映像信号をディスプレイパネルの解像度に合せて分割することによって、複数の部分画像を形成する。画像シフト部は、前記複数の部分画像をそのまま通過させるかシフトさせて、部分画像をスクリーンに投射する。したがって、低解像度のディスプレイパネルを備える投射装置の場合にも、低解像度のディスプレイパネルに合うように部分画像を形成してスクリーンに適切に投射する。これによって、スクリーンを見る人に１画面を構成する映像信号の解像度で見せることが可能となる。
【００５２】
請求項２３によれば、請求項２２に係る投射装置において、前記ディスプレイ駆動部が、前記部分映像信号を形成する解像度変換部と、前記画像シフト部の第１及び第２の状態を制御するための駆動制御部とを備える。
【００５３】
請求項２３に係る発明では、ディスプレイ駆動部が、解像度変換部及び駆動制御部を備える。
【００５４】
請求項２４によれば、請求項２３に係る投射装置において、前記ディスプレイ駆動部が、前記１画面を構成する映像信号がインターレース方式の信号であれば、このインターレース方式の信号をプログレッシブ方式の信号に変換するフォーマット変換部をさらに備える。
【００５５】
請求項２４に係る発明では、映像信号がインターレース方式の信号でも、同じ動作ができるようにディスプレイ駆動部がフォーマット変換部をさらに備える。
【００５６】
請求項２５によれば、請求項２２に係る投射装置において、前記画像シフト手段が、光をＳ波又はＰ波に変換する偏光変換部と、前記Ｓ波又は前記Ｐ波を複屈折させる複屈折部とを備える。
【００５７】
請求項２５に係る発明では、画像シフト手段が、偏光変換部及び複屈折部を備え、画像をシフトさせる機能を行う。
【００５８】
請求項２６によれば、請求項２５に係る投射装置において、前記偏光変換部及び前記複屈折部が、それぞれ１つ以上の個数である。
【００５９】
請求項２６に係る発明では、画像シフト手段を構成する偏光変換部及び複屈折部が、１つ又はその以上の個数であり得る。
【００６０】
請求項２７によれば、請求項２２に係る投射装置において、前記画像シフト手段が、透光体と、該透光体に接続した圧電セラミック素子とを備える。
【００６１】
請求項２７に係る発明では、請求項２５に係る発明とは異なり、画像シフト手段が、透光体及び圧電セラミック素子からなり、これにより画像をシフトさせる機能を行う。
【００６２】
請求項２８によれば、請求項２７に係る投射装置において、前記透光体が動きが可能であり、この動きにより前記画像を通過させるかシフトさせることが可能である。
【００６３】
請求項２８に係る発明では、透光体の動きを圧電セラミック素子で制御して画像をシフトさせることが可能である。
【００６４】
請求項２９によれば、請求項２２に係る投射装置において、前記画像シフト部が、前記ディスプレイパネルと前記光経路変更部との間に設置される。
【００６５】
請求項３０によれば、請求項２２に係る投射装置において、前記画像シフト部が、前記光経路変更部と前記投射レンズ部との間に設置される。
【００６６】
請求項３１によれば、請求項２２に係る投射装置において、前記画像シフト部が、前記投射レンズ部と前記スクリーンとの間に設置される。
【００６７】
請求項２９〜３１に係る発明は、画像シフト部が投射装置内に設置されることができる具体的な位置を表している。
【００６８】
請求項３２によれば、請求項２２に係る投射装置において、前記ディスプレイパネルが、ＤＭＤパネル単板であり、前記光経路変更部が、ＴＩＲプリズムを備える。
【００６９】
請求項３３によれば、請求項２２に係る投射装置において、前記ディスプレイパネルが、ＤＭＤパネル単板であり、前記光経路変更部が、ダイクロイックミラー（Ｄｉｃｈｒｏｉｃ  Ｍｉｒｒｏｒ）を備える。
【００７０】
請求項３４によれば、請求項２２に係る投射装置において、前記ディスプレイパネルが、ＤＭＤパネル２板であり、前記光経路変更部が、Ｘプリズムを備える。
【００７１】
請求項３５によれば、請求項２２に係る投射装置において、前記ディスプレイパネルが、ＤＭＤパネル２板であり、前記光経路変更部が、ダイクロイックミラーを備える。
【００７２】
請求項３６によれば、請求項２２に係る投射装置において、前記ディスプレイパネルが、透過型ＬＣＤパネル単板であり、前記光経路変更部が、ＴＩＲプリズムを備える。
【００７３】
請求項３７によれば、請求項２２に係る投射装置において、前記ディスプレイパネルが、透過型ＬＣＤパネル単板であり、前記光経路変更部が、ダイクロイックミラーを備える。
【００７４】
請求項３８によれば、請求項２２に係る投射装置において、前記ディスプレイパネルが、透過型ＬＣＤパネル単板であり、前記光経路変更部が、ＰＢＳ（Ｐｏｌａｒｉｚｉｎｇ  Ｂｅａｍ  Ｓｐｌｉｔｔｅｒ）を備える。
【００７５】
請求項３９によれば、請求項２２に係る投射装置において、前記ディスプレイパネルが、透過型ＬＣＤパネル２板以上であり、前記光経路変更部が、Ｘプリズムを備える。
【００７６】
請求項４０によれば、請求項２２に係る投射装置において、前記ディスプレイパネルが、透過型ＬＣＤパネル２板以上であり、前記光経路変更部が、ダイクロイックミラーを備える。
【００７７】
請求項４１によれば、請求項２２に係る投射装置において、前記ディスプレイパネルが、透過型ＬＣＤパネル２板以上であり、前記光経路変更部が、ＰＢＳを備える。
【００７８】
請求項４２によれば、請求項２２に係る投射装置において、前記ディスプレイパネルが、ＬＣｏＳパネル単板であり、前記光経路変更部が、ＴＩＲプリズムを備える。
【００７９】
請求項４３によれば、請求項２２に係る投射装置において、前記ディスプレイパネルが、ＬＣｏＳパネル単板であり、前記光経路変更部が、ダイクロイックミラーを備える。
【００８０】
請求項４４によれば、請求項２２に係る投射装置において、前記ディスプレイパネルが、ＬＣｏＳパネル単板であり、前記光経路変更部が、ＰＢＳを備える。
【００８１】
請求項４５によれば、請求項２２に係る投射装置において、前記ディスプレイパネルが、ＬＣｏＳパネル２板以上であり、前記光経路変更部が、Ｘプリズムを備える。
【００８２】
請求項４６によれば、請求項２２に係る投射装置において、前記ディスプレイパネルが、ＬＣｏＳパネル２板以上であり、前記光経路変更部が、ダイクロイックミラーを備える。
【００８３】
請求項４７によれば、請求項２２に係る投射装置において、前記ディスプレイパネルが、ＬＣｏＳパネル２板以上であり、前記光経路変更部が、ＰＢＳを備える。
【００８４】
請求項３２〜請求項４７に係る発明は、ディスプレイパネルと光経路変更部に適用可能な実材料を具体化したものであり、このような材料を使用することによって、実製品として具現可能である。
【００８５】
本発明の請求項４８に係る投射装置は、１画面を構成する映像信号の走査線数より１／ｎ倍の走査線数を支援するディスプレイパネルを備える投射装置であり、この投射装置は、前記１画面を構成する映像信号を前記ディスプレイパネルに合うようにｎ個の部分映像信号に変換するディスプレイ駆動部と、前記ディスプレイパネルを備え、前記ｎ個の部分映像信号をｎ個の画像光信号に変換する画像形成部と、前記ｎ個の画像光信号を利用して、ｎ個の部分画像を形成する光経路変更部と、前記ディスプレイ駆動部の制御下において、第１の状態では、前記ｎ個の部分画像の中第１の部分画像はそのまま通過させ、第２の状態では、前記ｎ個の部分画像の中第２〜第ｎの部分画像は、シフトさせる画像シフト部と、該画像シフト部から出力された前記第１〜第ｎの部分画像を前記スクリーンに投射する投射レンズ部とを備える。
【００８６】
請求項４８に係る発明では、１画面を構成する映像信号の走査線数の１／ｎ倍の走査線のみを支援するディスプレイパネルを利用して、入力される映像信号の解像度でスクリーンを見る人に見せることが可能である。
【００８７】
請求項４９によれば、請求項４８に係る投射装置において、前記ディスプレイ駆動部が、前記部分映像信号を形成する解像度変換部と、前記画像シフト部の第１及び第２の状態を制御するための駆動制御部とを備える。
【００８８】
請求項４９に係る発明では、ディスプレイ駆動部の解像度変換部が入力された１画面の映像信号をディスプレイパネルに合うように部分映像信号に変換し、駆動制御部が画像シフト部の状態を制御する。
【００８９】
請求項５０によれば、請求項４８に係る投射装置において、前記ディスプレイ駆動部が、前記１画面を構成する映像信号がインターレース方式の信号であれば、このインターレース方式の信号をプログレッシブ方式の信号に変換するフォーマット変換部をさらに備える。
【００９０】
請求項５０に係る発明では、ディスプレイ駆動部に入力される１画面を構成する映像信号がインターレース方式の信号でも適用可能である。
【００９１】
請求項５１によれば、請求項４８に記載された投射装置において、前記解像度変換部が、前記１画面を構成する映像信号の走査線の順番をｎで分けたとき、残りの同じ走査線の順番に該当する映像信号をサンプリングすることによって、前記ｎ個の部分映像信号を形成する。
【００９２】
請求項５１に係る発明では、解像度変換部により１画面を構成する映像信号のデータをｎ個の部分映像に分割して形成することが可能である。
【００９３】
請求項５２によれば、請求項４８に係る投射装置において、前記１画面を構成する映像信号の基準クロックをｎ分周し、該ｎ分周されたクロックの立ち上がりエッジと立下りエッジにおいて前記１画面を構成する映像信号をサンプリングすることによって、前記ｎ個の部分映像信号を形成する。
【００９４】
請求項５２に係る発明では、解像度変換部がｎ個の部分映像を他の方式で形成する。この方式によっても、ｎ個の部分映像が形成できる。
【００９５】
請求項５３によれば、請求項４８に係る投射装置において、前記画像シフト部が、光をＳ波又はＰ波に変換する偏光変換部と、前記Ｓ波又は前記Ｐ波を複屈折させる複屈折部とを備える。
【００９６】
請求項５３に係る発明では、画像シフト部が偏光変換部及び複屈折部を備え、画像をシフトさせる機能を行う。
【００９７】
請求項５４によれば、請求項５３に係る投射装置において、前記偏光変換部及び前記複屈折部が、それぞれ１つ以上の個数である。
【００９８】
請求項５４に係る発明では、画像シフト手段を構成する偏光変換部及び複屈折部が、１つ又はその以上の個数であり得る。
【００９９】
請求項５５によれば、請求項４８に係る投射装置において、前記画像シフト部が、透光体と、該透光体に接続した圧電セラミック素子とを備える。
【０１００】
請求項５５に係る発明では、請求項５３に係る発明とは異なり、画像シフト部が、透光体及び圧電セラミック素子を備え、これにより画像をシフトさせる機能を行う。
【０１０１】
請求項５６によれば、請求項５５に係る投射装置において、前記透光体が動きが可能であり、この動きにより前記画像を通過させるかシフトさせることが可能である。
【０１０２】
請求項５６に係る発明では、圧電セラミック素子が透光体の動きを制御して画像をシフトさせることが可能である。
【０１０３】
請求項５７に係る投射装置は、１画面を構成する映像信号の走査線数より１／ｎ倍の走査線数を支援するディスプレイパネルを備える投射装置であり、この前記投射装置は、前記１画面を構成する映像信号を前記ディスプレイパネルに合うようにｎ個の部分映像信号に変換するディスプレイ駆動部と、前記ディスプレイパネルを備え、前記ｎ個の部分映像信号をｎ個の画像光信号に変換する画像形成部と、前記ｎ個の画像光信号を利用して、ｎ個の部分画像を形成する光経路変更部と、前記ディスプレイ駆動部の制御下において、第１の状態では、前記ｎ個の部分画像のうち第１の部分画像はそのまま通過させ、第２の状態では、前記ｎ個の部分画像のうち第２〜第ｎの部分画像はシフトさせる画像シフト部と、
該画像シフト部から出力された前記第１〜第ｎの部分画像を前記スクリーンに投射する投射レンズ部とを備え、前記ディスプレイパネルが透過型ＬＣＤ３板であり、前記光経路変更部がＸプリズムを備え、前記画像シフト部が、光をＳ波又はＰ波に変換する偏光変換部と、前記Ｓ波又は前記Ｐ波を複屈折させる複屈折部とを備える。
【０１０４】
請求項５７に係る発明は、１画面を構成する映像信号の走査線数の１／ｎ倍の走査線数のみを支援するディスプレイパネルが、透過型ＬＣＤ３板であり、光経路変更部がＸプリズムを備え、画像シフト部が偏光変換部を有する実施形態を開示する。これによって、部分画像は、低解像度のディスプレイパネルに合うように形成され、スクリーンに適切に投射される。これによって、スクリーンを見る人に１画面を構成する映像信号の解像度で見せることが可能となる。
【０１０５】
請求項５８に係る投射装置は、１画面を構成する映像信号の走査線数より１／ｎ倍の走査線数を支援するディスプレイパネルを備える投射装置であり、この投射装置が、前記１画面を構成する映像信号を前記ディスプレイパネルに合うようにｎ個の部分映像信号に変換するディスプレイ駆動部と、前記ディスプレイパネルを備え、前記ｎ個の部分映像信号をｎ個の画像光信号に変換する画像形成部と、前記ｎ個の画像光信号を利用して、ｎ個の部分画像を形成する光経路変更部と、前記ディスプレイ駆動部の制御下において、第１の状態では、前記ｎ個の部分画像のうち第１の部分画像はそのまま通過させ、第２の状態では、前記ｎ個の部分画像のうち第２〜第ｎの部分画像はシフトさせる画像シフト部と、前記画像シフト部から出力された前記第１〜第ｎの部分画像を前記スクリーンに投射する投射レンズ部とを備え、前記ディスプレイパネルが、ＤＭＤパネル単板であり、前記光経路変更部がＴＩＲプリズムを備え、前記画像シフト部が、透光体と、該透光体に接続した圧電セラミック素子とを備える。
【０１０６】
請求項５８に係る発明は、１画面を構成する映像信号の走査線数の１／ｎ倍の走査線数のみを支援するディスプレイパネルがＤＭＤパネル単板であり、光経路変更部がＴＩＲプリズムを備え、そして画像シフト部が透光体と圧電セラミック素子とを備える実施形態を開示する。これによって、部分画像が低解像度のディスプレイパネルに合うように形成され、スクリーンに適切に投射される。これによって、スクリーンを見る人に１画面を構成する映像信号の解像度で見せることが可能となる。
【発明の効果】
【０１０７】
本発明に係る投射装置は、低解像度を支援するデジタルディスプレイパネルを利用して高解像度の画像を提供できる。
【発明を実施するための最良の形態】
【０１０８】
以下では、添付した図面を参照した好ましい実施形態と関連し本発明を詳細に記述する。
【０１０９】
図１は、本発明に係る高解像度の投射装置のブロック構成図である。同図に示すように、本発明に係る高解像度の投射装置は、画像形成部１００、光経路変更部１１０、画像シフト部１２０、投射レンズ部１３０、及びディスプレイ駆動部１４０を備える。
【０１１０】
＜画像形成部＞
【０１１１】
画像形成部１００は、表示しようとするフレームの解像度より小さなピクセル数を支援するデジタルディスプレイパネルを備える。好ましくは、本発明に係るデジタルディスプレイパネルは、フレームを形成するための全体解像度の１／ｎ倍（ｎは、自然数）のピクセルを支援する。
【０１１２】
以下では、表示しようとする１つのフレームを全体画像とし、デジタルディスプレイパネルが形成する画像を画像光信号とする。
【０１１３】
例えば、本発明に係る投射装置によって投射されて人の目に見られる全体画像が１０８０ｐの解像度の場合、デジタルディスプレイパネルが支援する解像度は、５４０ｐとなる。このようなデジタルディスプレイパネルの例には、ＬＣＤパネル、ＤＭＤパネル、及びＬＣｏＳパネルなどを挙げることができる。
【０１１４】
＜光経路変更部＞
【０１１５】
光経路変更部１１０は、画像形成部１００から出力されたｎ個の画像光信号それぞれを反射し、画像光信号に応じるｎ個の部分画像を形成する。このような光経路変更部１１０は、画像形成部１００に備えられたパネルの種類に合うように選択されることもでき、要らないこともある。
【０１１６】
例えば、画像形成部１００のデジタルディスプレイパネルとしてＤＭＤパネル単板を採用する場合には、光経路変更部１１０は、ＴＩＲプリズム（Ｔｏｔａｌ  Ｉｎｔｅｒｎａｌ  Ｒｅｆｌｅｃｔｉｏｎ）を備える。デジタルディスプレイパネルとしてＬＣｏＳパネル単板を採用する場合には、光経路変更部１１０は、ＰＢＳ（Ｐｏｌａｒｉｚｉｎｇ  Ｂｅａｍ  Ｓｐｌｉｔｅｒ）を備える。デジタルディスプレイパネルとしてＬＣｏＳパネル３板を採用する場合には、光経路変更部１１０は、ＰＢＳやＸプリズムを備える。デジタルディスプレイパネルとして透過型ＬＣＤ３板を採用する場合には、光経路変更部１１０は、Ｘプリズムを備える。最後に、デジタルディスプレイパネルとして透過型ＬＣＤパネル単板を採用する場合には、光経路変更部１１０は要らない。
【０１１７】
＜画像シフト部＞
【０１１８】
画像シフト部１２０は、第１の状態では、光経路変更部１１０から出力された第１の部分画像をそのまま通過させ、第２の状態では、光経路変更部１１０から出力された第２〜第ｎの部分画像のそれぞれを連続して１／ｎピクセルずつシフトして通過させる。
【０１１９】
第１の部分画像と第２〜第ｎの部分画像の順次通過により、部分画像自体の解像度より大きい解像度の全体画像が表示される。
【０１２０】
このとき、ｎが２の場合、第１の状態は、ターンオフ状態であり、第２の状態は、ターンオン状態である。ｎが３以上の場合、第１の状態は、ターンオフ状態であり、第２の状態は、残りの第２〜第ｎの部分画像を順次シフトする状態のことを意味する。
【０１２１】
例えば、形成しようとする全体画像の解像度が１０８０ｐの場合、画像形成部１００と光経路変更部１１０は、解像度が５４０ｐの第１の部分画像を出力するが、この時、画像シフト部１２０がターンオフすると、第１の部分画像は、画像シフト部１２０を通過し、何らの変化もなくそのまま投射レンズ部１３０を介して投射される。
【０１２２】
次に、画像形成部１００及び光経路変更部１１０は、解像度が５４０ｐの第２の部分画像を出力し、画像シフト部１２０がターンオンすると、第２の部分画像は、画像シフト部１２０によって１/２ピクセル分シフトされて、投射レンズ部１３０を介して投射される。
【０１２３】
こういう過程を経ると、スクリーン上には、画像シフト部１２０がターンオフした状態で投射された第１の部分画像と、画シフト部がターンオンした状態で投射された第２の部分画像とが連続してディスプレーされながら、残像効果により全体画像が形成される。例えば、５４０ｐの第１の部分画像と５４０ｐの第２の部分画像がディスプレーされながら、残像効果により１０８０ｐの全体画像が形成される。
【０１２４】
好ましくは、画像シフト部１２０がターンオフした状態で投射された５４０ｐの第１の部分画像は、１０８０ｐのフレームの奇数番目のラインに該当し、画像シフト部１２０がターンオンした状態で投射された５４０ｐの第２の部分画像は、画像シフト部１２０によってシフトされて、１０８０ｐのフレームの偶数番目のラインに該当する。
【０１２５】
＜ディスプレイ駆動部＞
【０１２６】
ディスプレイ駆動部１４０は、外部から入力された映像信号を適したフォーマットの映像信号に変換し、該変換された映像信号の１／ｎ倍の解像度であるｎ個の部分映像信号に変換することによって、前記画像形成部１００に前記ｎ個の部分映像信号に対応するｎ個の画像光信号を形成させ、ｎ個の画像光信号に応じて画像シフト部１２０の第１の状態及び第２の状態の駆動を制御する。
【０１２７】
図２は、本発明に係る投射装置に備えられたディスプレイ駆動部１４０のブロック構成図である。同図に示すように、ディスプレイ駆動部１４０は、フォーマット変換部１４１、解像度変換部１４３、及び駆動制御部１４５を備える。
【０１２８】
フォーマット変換部１４１は、入力されるインターレース方式の解像度を支援する映像信号を、プログレッシブ方式の解像度を支援する映像信号に変換する。
【０１２９】
解像度変換部１４３は、プログレッシブ方式の解像度を構成する各ラインの順番をｎで分けたとき、残りの同じ順番のラインに該当する映像信号をサンプリングして結合させることによって、ｎ個の部分映像信号を形成する。
【０１３０】
例えば、ｎ＝２の場合、プログレッシブ方式の解像度を構成する奇数番目のラインに該当する映像信号をサンプリングして１つに結合させ、偶数番目のラインに該当する映像信号をサンプリングして１つに結合させる。
【０１３１】
また、ｎ＝３の場合、プログレッシブ方式の解像度を構成する各ラインの順番を３で分けると、その残りは、０、１、又は２であるから、１番目、４番目、７番目、……ラインに該当する映像信号が１つに結合され、２番目、５番目、８番目……ラインに該当する映像信号が１つに結合され、３番目、６番目、９番目……ラインに該当する映像信号が１つに結合される。
【０１３２】
駆動制御部１４５は、フォーマット変換部１４１及び解像度変換部１４３の動作を制御することによって、画像シフト部１２０の第１の状態及び第２の状態の動作を制御する。
【０１３３】
図３は、本発明に係るディスプレイ駆動部１４０の動作を説明するための図である。この時、ｎ＝２である。
【０１３４】
同図に示すように、図面符号３１０は、図２のフォーマット変換部１４１によってインターレース方式の解像度１０８０ｉの映像信号がプログレッシブ方式の解像度１０８０ｐの映像信号に変換されたことを示すものである。
【０１３５】
図面符号３２０は、１０８０ｐの映像信号が、図２の解像度変換部１４３によって１０８０ｐの映像信号の奇数番目のラインに該当する５４０ｐの映像信号に変換されたことを示すものである。
【０１３６】
図面符号３３０は、１０８０ｐの映像信号が、図２の解像度変換部１４３によって１０８０ｐ映像信号の偶数番目のラインに該当する５４０ｐの映像信号に変換されたことを示すものである。
【０１３７】
図面符号３４０は、図２の解像度変換部１４３によって生成された奇数番目のラインに該当する５４０ｐの部分画像と、偶数番目のラインに該当する５４０ｐの部分画像とが重なったときに現れる１０８０ｐの画像を表現したものである。
【０１３８】
すなわち、ディスプレイ駆動部１４０の駆動制御部１４５は、奇数番目のラインに該当する５４０ｐの映像信号を画像形成部１００に印加すると共に、画像シフト部１２０をターンオフする。
【０１３９】
そうすると、奇数番目のラインに該当する５４０ｐの映像信号に該当する部分画像が投射レンズ部１３０を介してスクリーンに投射される。
【０１４０】
次に、ディスプレイ駆動部１４０の駆動制御部１４５は、偶数番目のラインに該当する５４０ｐの映像信号を画像形成部１００に印加すると共に、画像シフト部１２０をターンオンする。
【０１４１】
そうすると、偶数番目のラインに該当する５４０ｐの映像信号に該当する部分画像が、１/２ピクセル分シフトされながら、投射レンズ部１３０を介してスクリーンに投射されるため、残像効果により１０８０ｐの完全な画像が形成される。したがって、１秒に６０フレームの画像がスクリーンに投射されるとすれば、本発明の投射装置は、１秒に１２０個の部分画像を投射する。
【０１４２】
このような過程を経て、５４０ｐの解像度を支援する画像形成部１００を介して解像度が１０８０ｐの画像が形成される。
【０１４３】
図４は、本発明に係るディスプレイ駆動部１４０の動作波形を示すものである。
【０１４４】
図４の（ａ）と（ｂ）は、図２のフォーマット変換部１４１から出力されて解像度変換部１４３が受ける１０８０ｐの解像度に該当する基準クロック波形及びデータ波形を示すものである。
【０１４５】
図４の（ｃ）は、解像度変換部１４３によって２分周された５４０ｐの解像度に該当するクロック波形を示すものであり、図４の（ｄ）と（ｅ）は、それぞれ奇数番目のラインに該当するデータ波形と偶数番目のラインに該当するデータ波形を示すものである。
【０１４６】
このとき、図４の（ｃ）に示すように、解像度変換部１４３は、１０８０ｐに該当するクロック波形を２分周して、５４０ｐに該当するクロック波形を形成する。
【０１４７】
以後、解像度変換部１４３は、５４０ｐに該当するクロック波形の立ち上がりエッジ（ｒｉｓｉｎｇ  ｅｄｇｅ）において１０８０ｐの解像度に該当するデータ波形からサンプリングして、図４（ｄ）のような奇数番目のラインに該当するデータ波形を形成し、５４０ｐに該当するクロック波形の立下りエッジ（ｆａｌｌｉｎｇ  ｅｄｇｅ）において１０８０ｐの解像度に該当するデータ波形からサンプリングして、図４（ｅ）のような偶数番目のラインに該当するデータ波形を形成する。
【０１４８】
以上に記載されたことは、ｎ＝２の場合のタイミングチャートであって、一般に、クロック波形をｎ分周して、全体画像の解像度の１／ｎ倍の解像度に該当するクロック波形を形成する。
【０１４９】
図５は、本発明の第１実施形態に係る解像度の増加が可能な投射装置のブロック構成図である。
【０１５０】
同図に示すように、本発明の投射装置の第１実施形態において画像形成部１００は、ＬＣＤ３板を備え、光経路変更部１１０は、Ｘプリズムを備え、画像シフト部１２０は、偏光変換部１２１及び複屈折部１２３を備える。この時、本発明の第１実施形態の複屈折部１２３は、方解石（ｃａｌｃｉｔｅ）である。
【０１５１】
すなわち、Ｒ，Ｇ，Ｂに対応されるそれぞれの透過型ＬＣＤパネルを通過する光は、偏光偏向装置１２１によってＳ波又はＰ波に変換され、偏光偏向装置１２１によってＳ波に変換された光は、複屈折部１２３によってシフトされ、Ｐ波に変換された光は、複屈折部１２３をそのまま通過する。
【０１５２】
したがって、ディスプレイ駆動部１４０の解像度変換部１４３によって形成された奇数番目のラインに該当する５４０ｐのデータ波形に応じて、ディスプレイ駆動部１４０がＬＣＤパネルを制御すれば、ＬＣＤパネルを通過した光は、Ｘプリズムによって反射されながら１つの部分画像を形成する。
【０１５３】
このとき、ディスプレイ駆動部１４０が偏光変換部１２１を作動させて前記部分画像をＰ波に変換すれば、複屈折部１２３は、Ｐ波に変換された部分画像をそのまま通過させる。
【０１５４】
以後、ディスプレイ駆動部１４０の解像度変換部１４３によって形成された偶数番目のラインに該当する５４０ｐのデータ波形に応じて、ディスプレイ駆動部１４０がＬＣＤパネルを制御すれば、ＬＣＤパネルを通過した光は、また他の１つの部分画像を形成するが、このとき、ディスプレイ駆動部１４０の駆動制御部１４５が偏光変換部１２１を作動させて前記部分画像をＳ波に変換すれば、複屈折部１２３は、また他の１つの部分画像をシフトさせる。
【０１５５】
この時、シフトされる量は、半ピクセルであるため、２個の部分画像が重なりながら１０８０ｐの画像が形成される。
【０１５６】
図６及び図７は、本発明の第２実施形態に係る解像度の増加が可能な投射装置のブロック構成図である。図６及び図７に示すように、本発明の投射装置の第２実施形態において画像形成部１００は、ＤＭＤパネルを備え、光経路変更部１１０は、ＴＩＲプリズムを備え、画像シフト部１２０は、両終端に圧電セラミック素子１２７が付着された平板ガラス１２９を備える。
【０１５７】
図６に示すように、ディスプレイ駆動部１４０が平板ガラス１２９の両終端に付着された圧電セラミック素子１２７に信号を印加せず、奇数番目のラインに該当する５４０ｐの部分画像をＤＭＤパネルを介して形成する場合、平板ガラスがＤＭＤパネルと平行になり、５４０ｐの画像が投射される位置が本来の位置に置かれる。
【０１５８】
そして、図７に示すように、ディスプレイ駆動部１４０が前記圧電セラミック素子１２７に信号を印加すると共に、偶数番目のラインに該当する５４０ｐの部分画像をＤＭＤパネルを介して形成する場合、圧電セラミック素子１２７に圧力が発生して、平板ガラスがＤＭＤパネルとの平行が崩れながら部分画像がシフトされるので、奇数番目のラインに該当する部分画像と偶数番目のラインに該当する部分画像とが重なって、１０８０ｐの画像が形成される。
【０１５９】
以上で記載された第２実施形態は、ｎ＝２又はｎ＝３以上の場合、ディスプレイ駆動部が圧電セラミック素子１２７に印加する電圧の大きさを異なるようにして、ｎ個の部分画像が１／ｎピクセルずつ順次シフトされるように制御する。
【０１６０】
上述したように、本発明は、１画面を構成する映像信号の解像度より低い解像度のディスプレイパネルを備えた投射装置に適用可能である。
【図面の簡単な説明】
【０１６１】
【図１】本発明に係る解像度の増加が可能な投射装置のブロック構成図である。
【図２】本発明に係る投射装置に備えられたディスプレイ駆動部のブロック構成図である。
【図３】本発明に係るディスプレイ駆動部の動作を説明するための図である。
【図４】本発明に係るディスプレイ駆動部の動作波形を示す図である。
【図５】本発明の第１実施形態に係る解像度の増加が可能な投射装置のブロック構成図である。
【図６】本発明の第２実施形態に係る解像度の増加が可能な投射装置のブロック構成図である。
【図７】本発明の第２実施形態に係る解像度の増加が可能な投射装置のブロック構成図である。
【図１】
2007522489.tif 000003
【図２】
2007522489.tif 000004
【図３】
2007522489.tif 000005
【図４】
2007522489.tif 000006
【図５】
2007522489.tif 000007
【図６】
2007522489.tif 000008
【図７】
2007522489.tif 000009
【国際調査報告】
2007522489.tif 000010
2007522489.tif 000011
2007522489.tif 000012